(57)【要約】【課題】ワンタッチでカテーテルの末端部を着脱自在に接続するコネクタにおいて、カテーテルのコネクタからの取り外しを容易で確実にできるカテーテルコネクタを提供すること。【解決手段】カテーテルを通す通孔を備えるゴム弾性部材よりなる締め付けリング４と、締め付けリングを内腔に収容する筒部１２を備えるコネクタ本体１と、コネクタ本体と共に締め付けリングを挟み込む態様でコネクタ本体に組み付けるコネクタキャップ２と、コネクタ本体に対してコネクタキャップを軸方向にスライドして、締め付けリングへの押圧及びその解除をするスライド手段により構成し、前記コネクタ本体の筒部内腔の遠位側壁面には軸方向に並列する複数の凹条溝１９を設け、一方、近位側壁面には凹条溝を設けずに形成した。そして、前記締め付けリングの遠位側の外周面が凹条溝を設けた壁面に、近位側の外周面が凹条溝を設けない壁面に位置するように配置された。【選択図】図４
2019198510.tif 000002
【特許請求の範囲】
【請求項１】
カテーテルを通す通孔を備えるゴム弾性部材よりなる締め付けリングと、
該締め付けリングを内腔に収容する筒部を備えるコネクタ本体と、
該コネクタ本体と共に前記締め付けリングを挟み込む態様でコネクタ本体に組み付けるコネクタキャップと、
前記コネクタ本体に対してコネクタキャップを軸方向に相対的にスライドし、締め付けリングへの押圧、及び、その解除をするスライド手段により構成し、
前記コネクタ本体の筒部内腔の一部壁面には軸方向に並列する複数の凹条溝を備えることを特徴とするカテーテルコネクタ。
【請求項２】
前記複数の凹条溝は、コネクタ本体の筒部内腔の遠位側壁面に設けられ、筒部内腔の近位側壁面には設けない請求項１のカテーテルコネクタ。
【請求項３】
前記締め付けリングは、遠位側の外周面が前記複数の凹条溝を設けたコネクタ本体の内腔壁面に、近位側の外周面が凹条溝を設けないコネクタ本体の内腔壁面に接して配置される請求項１乃至２のいずれかのカテーテルコネクタ。
【発明の詳細な説明】
【技術分野】
【０００１】
本発明は、カテーテルを薬液注入器具に連結するための接続器具であって、カテーテルの末端部に着脱自在に接続されるカテーテルコネクタに関する。
【背景技術】
【０００２】
例えば、硬膜外カテーテルをシリンジ等の薬液注入器具と連結するためにカテーテルの末端部に着脱自在に接続するカテーテルコネクタとしては、カテーテルを通す通孔を備えたゴム弾性の締め付けリングと、該締め付けリングを内挿した筒状のクランプ本体（コネクタ本体）と、締め付けリングをクランプ本体と挟み込む態様で該クランプ本体に取り付けるクランプキャップ（コネクタキャップ）と、クランプキャップをクランプ本体の軸方向に相対的に可動させるクランプレバーで構成され、前記締め付けリングの通孔にカテーテルを通し、クランプレバーの操作によりクランプ本体とクランプキャップに挟み込んだ締め付けリングを両端から押し潰し、該締め付けリングの通孔を圧縮することでカテーテルを接続し固定する器具が提案されている。（特許文献１）
【先行技術文献】
【特許文献】
【０００３】
【特許文献１】特開２０１４−１５５６２５号公報
【発明の概要】
【発明が解決しようとする課題】
【０００４】
前記従来のカテーテルコネクタは、クランプレバーの回動操作によりクランプキャップをスライドさせ、ワンタッチ操作でカテーテルをコネクタに連結又は解除することが可能で、締め付けリングによるカテーテルを締め付ける強さも一定となることから締め付け不良が発生しないなど使い勝手の良いコネクタとなっている。
【０００５】
しかし、このようにゴム弾性の締め付けリングを両端から押し潰して用いるコネクタは、接続したカテーテルを取り外すときや、接続し直したいときなど、クランプレバーの操作によりクランプキャップを緩め締め付けリングへの圧縮を解除しても、ゴム弾性を備える締め付けリングの性質上、リング外周面がクランプ本体の内壁に密着したまま張り付いた状態となり、締め付けリングの形状が元に戻らないことでカテーテルが容易に抜くことができないといった問題が報告されている。
【０００６】
そこで、本発明は、カテーテルとの接続を従来のワンタッチコネクタと遜色のない容易なものとすると共に、コネクタからのカテーテルの取り外しのさい、容易に、かつ、確実に抜去することができるカテーテルコネクタを提供することを課題とした。
【課題を解決するための手段】
【０００７】
本発明のカテーテルコネクタは、カテーテルを通す通孔を備えるゴム弾性部材よりなる締め付けリングと、該締め付けリングを内腔に収容する筒部を備えるコネクタ本体と、該コネクタ本体と共に前記締め付けリングを挟み込む態様でコネクタ本体に組み付けるコネクタキャップと、前記コネクタ本体に対してコネクタキャップを軸方向に相対的にスライドして、締め付けリングへの押圧及びその解除をするスライド手段により構成し、前記締め付けリングを収容するコネクタ本体の筒部内腔の壁面の一部に軸方向に並列する複数の凹条溝を備えて形成した。
【０００８】
そして、前記複数の凹条溝は、コネクタ本体の筒部内腔の遠位側壁面に設けられ、筒部内腔の近位側壁面には設けずに構成する。尚、遠位側壁面とはコネクタ本体の筒部の先端側でカテーテルが挿入される側の内壁面を示し、近位側壁面とはコネクタ本体の筒部の底部側の内壁面を示す。
【０００９】
また、前記締め付けリングは、遠位側の外周面が前記複数の凹条溝を設けたコネクタ本体の内腔壁面に、近位側の外周面が凹条溝を設けないコネクタ本体の内腔壁面に接して配置される。
【００１０】
（作用）
前記手段のカテーテルコネクタによれば、締め付けリングを収容するコネクタ本体の筒部内腔の壁面に軸方向に並列する複数の凹条溝を備えているため、締め付けリングと内腔壁面の凹条溝が隙間となり、締め付けリング外周面とコネクタ本体の内腔壁面との接触面（密着面）が小さくなり接触摩擦抵抗が低減するなどにより、締め付けリングへの圧縮を解除したさい該締め付けリングが圧縮前の元の形状に戻りやすい。また、筒部内腔の近位側壁面には凹条溝を設けず、締め付けリングは遠位側が溝のある壁面、近位側が溝のない壁面と接触することで、気密の維持と隙間による接触抵抗をバランス良く維持することで、圧縮時は気密を確実に維持して液漏れなどを防止し、圧縮解除時は短時間に締め付けリングを元の形状に戻すことができる。
【発明の効果】
【００１１】
前記手段のカテーテルコネクタによると、カテーテルとの接続を従来のワンタッチコネクタと遜色のない容易なものとすると共に、コネクタからのカテーテルの取り外しのさい、容易に、かつ、確実にカテーテルを抜去することができるカテーテルコネクタを提供することができる。
【図面の簡単な説明】
【００１２】
【図１】本発明の実施の形態のカテーテルコネクタの全体構成図。（クランプレバーを開いた状態）
【図２】前記形態のクランプレバーを開いた状態の側面図、及び、内部に収容されている締め付けリングの外観図。
【図３】前記形態のクランプレバーを閉じた状態の側面断面図。
【図４】前記形態のコネクタ本体の斜視図。
【図５】前記形態のコネクタ本体の正面図及び側面図。
【図６】前記コネクタ本体のＡ−Ａ断面図、及び、締め付けリングを収容した状態の断面図。
【図７】前記コネクタ本体のＢ−Ｂ断面図。
【図８】前記形態のコネクタキャップの斜視図及び正面図。
【図９】前記形態のクランプレバーの斜視図及び側面図。
【図１０】従来のコネクタ本体の一例を示す斜視図。
【発明を実施するための形態】
【００１３】
以下、本発明のカテーテルコネクタの実施の形態の一例につき図面を参考に詳細に説明する。
図１は、本実施の形態のカテーテルコネクタのクランプレバーを開いた状態の全体構成図を示し、図２は、Ａが前記状態の側面図、Ｂがコネクタ内に収容されている締め付けリングを示している。また、図３は、前記形態のクランプレバーを閉じ、カテーテルが固定された状態の側面断面図を示している。尚、図３の断面図において理解を容易とするため、参考として、カテーテルを破線で示している。
【００１４】
本形態のカテーテルコネクタは、硬膜外麻酔用カテーテル等のカテーテルの末端部を接続して、該カテーテルに麻酔薬等を注入する器具（シリンジや持続注入器等）を結合するためのコネクタとして用いられるもので、カテーテルが貫通する通孔４１を備えるゴム弾性部材よりなる締め付けリング４と、該締め付けリング４を内腔１２０に収容する筒部１２、及び、薬液注入器具との接続部（テーパー部）１１を備えるコネクタ本体１と、コネクタ本体１と共に締め付けリング４を両端部から挟み込む態様でコネクタ本体１に組み付けられるコネクタキャップ２と、前記コネクタ本体１に対してコネクタキャップ２を軸方向に相対的にスライドし、締め付けリング４を押圧、及び、解除するためのスライド操作部となるクランプレバー３により基本構成される。
【００１５】
次に、各部に付き詳細に説明する。図４から図７は本形態のコネクタ本体を示し、図４は斜視図、図５はＡが正面図、Ｂが側面図、図６は、Ａ−Ａ断面図で、Ａが締め付けリングを収容していないとき、Ｂが内腔に締め付けリングを収容したときの断面図、図７がＢ−Ｂ断面図を示している。
【００１６】
本形態のコネクタ本体１は、近位側は、シリンジ等の薬液注入器具のオステーパーを接続するためのメスルアーテーパー部１１として形成し、遠位側は、締め付けリング４を収容するため該締め付けリング４の外径に適合する内腔１２０を有し、先端開口部を挿入口１３とした円筒状のリング収容筒部１２として形成し、該リング収容筒部１２の先端側側面の対称となる位置には、後記するクランプレバー３を取り付けて、回動するための回動軸１４を幅方向に突出させて設け構成した。
【００１７】
そして、前記ルアーテーパー部１１とリング収容筒部１２との中間部はコネクタ本体基部１５とし、該コネクタ本体基部１５には、リング収容筒部１２と連通する内腔１２０に締め付けリング４の底部を留め置くための段差を備えた締め付けリング留め部１６、及び、締め付けリング４の貫通孔４１を通して突出するカテーテル末端を留め置くためのテーパー状に形成されるカテーテル末端収容部位１７、及び、その端部となるカテーテル留め部１７１が設けられている。
【００１８】
また、コネクタ本体基部１５の近位側には、カテーテルを固定するためクランプレバー３を完全に閉じ状態にするさいに、クランプレバー３を固定する手段となる係止フック１８を設けて、これらを一体的に形成してコネクタ本体１として構成した。
【００１９】
更に、本カテーテルコネクタ本体１は、カテーテル末端が所定のカテーテル末端収容部１７のカテーテル留め部１７１の位置まで挿入されていることが外部から目視で確認できるように透明あるいは半透明な樹脂により形成されており、また、カテーテル末端収容部１７が目視しやすいように該収容部の周囲を開口抜け部１７０として形成している。
【００２０】
そして、前記リング収納筒部１２の内腔１２０の壁面に、軸方向に並列する複数の凹条溝１９を壁面全周囲にわたりほぼ等間隔で設けられるが、該凹条溝１９は、内腔１２０壁面の遠位側先端から、締め付けリング４を収納したさい、該締め付けリング４の約半分程度の長さの位置までに設け、凹条溝設定内壁面１２ａとし、その位置から近位側の壁面には凹条溝を設けず、凹条溝非設定内壁面１２ｂとして形成される。尚、締め付けリング４がコネクタキャップ２により押圧され圧縮したときであっても、締め付けリング４の遠位側の一定の長さ部分が凹条溝設定内壁面１２ａに位置するように設定されている。（図３参照）
【００２１】
図１０は、参考として従来のコネクタ本体の一例を示している。
従来のコネクタ本体５１のリング収納筒部５１２の内腔５１２０には、凹条溝が設けられていないため、ゴム弾性部材よりなる締め付けリング４の性質上、圧縮され内腔５１２０壁面に密着された後、該圧縮が解除されても、ゴム弾性のリングが内腔５１２０壁面に張り付いてしまうことで、圧縮前の元形状に戻り難くカテーテルが抜けないことがある。
【００２２】
一方、本形態のコネクタ本体１のリング収納筒部１２の内腔１２０には、凹条溝１９が設けられ、締め付けリング４が圧縮された状態でも該締め付けリング４の遠位側の一定部位が凹条溝設定内壁面１２ａに設定されることで、壁面との接触面積が減ると共に壁面との密着を解除するさいの空気の通路となるなど締め付けリング４との接触摩擦抵抗が低減することで、締め付けリング４が圧縮前の元形状に戻りやすいものとなっている。また、締め付けリング４近位側は凹条溝非設定内壁面１２ｂに位置されることで溝からの液漏れ等を防止している。
【００２３】
締め付けリング４は、前記コネクタ本体１のリング収容筒部１２の内腔１２０に収容されて用いられるゴム弾性樹脂からなる筒状のリングで、カテーテルを貫通可能な貫通孔４１を有し、外径が該リング収容筒部１２の内径に適合したものとして形成される。そして、カテーテル挿通後、コネクタ本体１とコネクタキャップ２とにより両端から押し潰されることにより貫通孔４１の内径が縮小し、該カテーテルを締め付け固定することで固定状態となる。
【００２４】
図８は、本形態のコネクタキャップを示し、Ａが斜視図、Ｂが側面図を示している。
コネクタキャップ２は、前記コネクタ本体１と共に締め付けリング４を両側から挟み込む態様で該コネクタ本体１と組み合わされるもので、該コネクタ本体１のリング収容筒部１２の内腔１２０に挿入されて締め付けリング４への圧縮部となる内筒２１と、該内筒２１と同軸となる外延に前記コネクタ本体１のリング収容筒部１２を収容する外筒２２を設け、該内筒２１及び外筒２２は、先端部２３で折り返すようにつなげられ一体化され形成されている。そして、前記内筒２１には、カテーテルが挿入可能な挿通孔２１０が設けられ、外筒２２には、該外筒２２側面の対称となる位置に、前記コネクタ本体１と組み合わせたさいにコネクタ本体１の回動軸１４を突出させ、該コネクタ本体１とコネクタキャップ２の可動を軸方向に規制するスリット２４が設けられる。
【００２５】
また、前記外筒２２の近位側には、スリット２４を跨いで幅方向両側に張り出して延設する翼２５を設け、該翼２５には、後記するクランプレバー３の回動により該クランプレバーの押圧部３２との接触部となり、押圧されて、コネクタリング２全体を軸方向に可動するための接触部２６として、翼２５上面の前記スリット２４を挟んでクランプレバー３側の面を第一の接触面２６ａ、奥側の面を第二の接触面２６ｂとして形成し、第一及び第二の接触面２６ａ、２６ｂの間はスリット２４と連通する空間２７として形成して、コネクタキャップ２可動による締め付けリング４の圧縮手段、及び、クランプレバー３の回動を中途で仮止めさせる仮止め手段としている。また、後記するクランプレバー３を取り付ける側と対向する面には把持や操作を容易とするためのプレート２８を設け、これらを一体に形成してコネクタキャップ２を構成した。
【００２６】
図９は、本形態のクランプレバーを示し、Ａが斜視図、Ｂが側面図を示している。
クランプレバー３は、前記コネクタ本体１の回動軸１４に係合させ、前記コネクタキャップ２を挟んだ状態で回動運動可能なように接続する軸受フック３１と、前記コネクタキャップ２の接触部２６に適合する当接部であって、カテーテルを接続するさい、コネクタキャップ２を軸方向に押し込むように移動させる、角部を適度な湾曲形状に形成した押圧部３２と、クランプレバー３をコネクタ本体１から離した状態となる開いた状態から、レバーがコネクタ本体１に接した状態となる閉じた状態まで回動させるための操作部となる把持部３３、及び、完全に閉じた状態としたさいに、コネクタ本体１の係止フック１８に係合する接続固定手段となる掛止め部３４を設けて、これらを一体に形成してクランプレバー３を構成した。
【００２７】
前記コネクタ本体１、コネクタキャップ２、クランプレバー３、及び、締め付けリング４は次のように接続され一体化される。
コネクタ本体１のリング収容筒部１２に締め付けリング４を挿入した後、該締め付けリング４をコネクタキャップ２の内筒２１と挟むように、また、コネクタ本体１から突起する回動軸１４をコネクタキャップ２のスリット２４から突出するように、コネクタキャップ２の内筒２１と外筒２２の間にコネクタ本体１のリング収容筒部１２を挿入して取り付ける。次に、前記コネクタ本体１の回動軸１４に、コネクタキャップ２の外筒２２を挟むようにクランプレバー３の軸受フック３１を嵌めこみ、本形態のカテーテルコネクタとした。（図１〜図３参照）
【００２８】
ここで、クランプレバー３の軸受フック３１を把持部３３の両側面から突起させ、軸受フック３１間に切り欠け部を備える形状を採っているため、クランプレバー３の回動のさい、把持部３３上端部がコネクタキャップ２の外筒２２に接触して止まり、該接触位置がクランプレバー３を開いた状態の上限位置となる。
【００２９】
本形態のカテーテルコネクタにカテーテルを接続する手段を説明する。
先ず、クランプレバー３を開いた状態でカテーテル末端部をコネクタキャップ２の挿通孔２１０から、締め付けリング４の貫通孔４１を通し、コネクタ本体１のカテーテル末端収容部１７まで挿入する。
そして、前記のようにコネクタ本体１の回動軸１４に接続されたクランプレバー３を、回動軸１４を軸として回動して、クランプレバー３を開いた状態から閉じた状態にすることで、クランプレバー３の押圧部３２に押圧された接触部２６が軸方向に可動して、コネクタキャップ２の内筒２１を押し下げ、コネクタ本体１の締め付けリング留め部１６との間で締め付けリング４が押し潰され、結果、カテーテルが締め付けリング４に締め付けられて固定される。尚、カテーテルの接続を解除するときは、クランプレバー３を閉じた状態から開いた状態にすることで、コネクタキャップ２全体が遠位側にスライドし、結果、締め付けリング４への押圧が解除され貫通孔４１が広がることで接続が解除される。
【００３０】
尚、前記クランプレバー３を閉じ、締め付けリング４が押し潰してカテーテルが固定されたさい、押し潰された締め付けリング４は、その遠位側の部位がコネクタ本体１の内壁面に設けられた凹条溝１９に係る位置になるように設定されている。（図３参照）
【００３１】
このように、カテーテルの締め付け固定のさい、該締め付けリング４の遠位側がリング収容筒部１２の凹条溝設定内壁面１２ａに設定されていることで、接続解除のさい、内腔１２０壁面に締め付けリング４が張り付いてしまい、形状が戻らずにカテーテルとの接続が解除されないといったことを防止している。
【符号の説明】
【００３２】
１．    コネクタ本体
１１．  （メス）ルアーテーパー部
１２．  リング収納筒部
１２０．（リング収容）内腔
１２ａ．凹条溝設定内壁面
１２ｂ．凹条溝非設定内壁面
１３．  リング挿入口
１４．  回動軸
１５．  コネクタ本体基部
１６．  締め付けリング留め部
１７．  カテーテル末端収容部
１７１．カテーテル留め部
１８．  係止フック
１９．  凹条溝
２．    コネクタキャップ
２１．  内筒
２１０．挿通孔
２２．  外筒
２３．  先端部
２４．  スリット
２５．  翼部
２６ａ．第一の接触部
２６ｂ．第二の接触部
２７．  空間
２８．  把持プレート
３．    クランプレバー
３１．  軸受フック
３２．  押圧部
３３．  把持部
３４．  掛止め部
４．    締め付けリング
４１．  貫通孔
【図１】
2019198510.tif 000003
【図２】
2019198510.tif 000004
【図３】
2019198510.tif 000005
【図４】
2019198510.tif 000006
【図５】
2019198510.tif 000007
【図６】
2019198510.tif 000008
【図７】
2019198510.tif 000009
【図８】
2019198510.tif 000010
【図９】
2019198510.tif 000011
【図１０】
2019198510.tif 000012